(57)【要約】      （修正有）【課題】通信環境情報の送信のための電力を必要以上に消費しないようにする。【解決手段】通信環境情報を検知する通信環境検知部と、前記通信環境情報に基づき通知情報の送信間隔を定める通信環境情報通知制御部と、前記通知情報を前記送信間隔で外部機器に送信する外部機器通信部と、を備える。またネットワークから情報を受信するネットワーク通信部を有し、前記通信環境情報が前記情報の受信レベル情報である。前記通信環境検知部は、前記外部機器の能力情報を受信し、前記通信環境情報通知制御部は、前記送信間隔を前記能力情報に基づき定める。前記通信環境情報通知制御部は、前記通信環境情報が前記通知情報の変化の頻度が一定以上の頻度の場合、前記送信間隔を延長する。前記通信環境情報が、電源の残量情報である。【選択図】図２
2012151811.tif 000002
【特許請求の範囲】
【請求項１】
通信環境情報を検知する通信環境検知部と、
前記通信環境情報に基づく通知情報の送信間隔を定める通信環境情報通知制御部と、
前記通知情報を前記送信間隔で外部機器に送信する外部機器通信部と、
を有する通信装置。
【請求項２】
ネットワークから情報を受信するネットワーク通信部を有し、
前記通信環境情報が前記情報の受信レベル情報であること、
を特徴とする請求項１記載の通信装置。
【請求項３】
前記通信環境検知部は、前記外部機器の能力情報を受信し、
前記通信環境情報通知制御部は、前記送信間隔を前記能力情報に基づき定めること、
を特徴とする請求項１記載の通信装置。
【請求項４】
前記通信環境情報通知制御部は、前記通信環境情報が前記通知情報の変化の頻度が一定以上の頻度の場合、前記送信間隔を延長すること、
を特徴とする請求項１記載の通信装置。
【請求項５】
前記通信環境情報が、電源の残量情報であること、
を特徴とする請求項１記載の通信装置。
【請求項６】
通信装置における通信方法であって、
通信環境情報を検知する第１の過程と、
前記通信環境情報に基づく通知情報の送信間隔を定める第２の過程と、
前記通知情報を前記送信間隔で外部機器に送信する第３の過程と
を有する通信方法。
【請求項７】
通信装置が有するコンピュータに、
通信環境情報を検知する第１の手順と、
前記通信環境情報に基づく通知情報の送信間隔を定める第２の手順と、
前記第１の情報を前記送信間隔で外部機器に送信する第３の手順と
を実行させることを、
を特徴とする通信プログラム。
【発明の詳細な説明】
【技術分野】
【０００１】
本発明は、通信装置、通信方法、及び通信プログラムに関する。
【背景技術】
【０００２】
携帯電話機から一定の近距離の範囲内に置かれ、その携帯電話機の機能を補完する外部機器が普及しつつある。例えば、携帯電話機を手に持たずに、その携帯電話機を通じて音声信号の送受信を行うハンズフリー機器、携帯電話機に保存された楽曲データに基づき音楽を再生する音楽再生機器、携帯電話機のデータ通信機能を利用して各種情報をダウンロードするデータ通信機器、がある。携帯電話機と外部機器との間は、電波を用いた無線通信により情報を送受信する。
この点に関連して、携帯電話機における通信環境情報、例えば、電波の受信状態情報や電池の残量情報を、外部機器に送信し、外部機器は、送信された受信状況情報や残量情報をその表示装置に表示することにより、携帯電話機がユーザから目視できない状態、例えば鞄の中に格納されている状態でも、外部機器の表示装置の表示画面を目視することにより、携帯電話機における通信環境情報を把握する技術が知られている（特許文献１）。
【先行技術文献】
【特許文献】
【０００３】
【特許文献１】特開２００２−１９９４５０号公報
【発明の概要】
【発明が解決しようとする課題】
【０００４】
しかしながら、特許文献１に記載の携帯電話機は、外部機器との接続が確立していれば、通信環境情報を外部機器に送信する。そのため、外部機器が受信した通信環境情報を有効に扱うことができない場合にも通信環境情報を送信し、必要以上に電力を消費してしまうという問題がある。例えば、携帯電話機において電波の受信状態が頻繁に変動し、その都度受信状態情報を送信する場合、その携帯電話機が基地局装置からの電波を受信できる領域内に在圏していない場合、あるいは外部機器が受信した通信環境情報を表示する機能を有していない場合、がある。
【０００５】
本発明は、上記の点に鑑みてなされたものであり、上記従来技術の欠点を解消する通信装置、通信方法及び通信プログラムを提供することを課題とする。
【課題を解決するための手段】
【０００６】
（１）本発明は上記の課題を解決するためになされたものであり、本発明の一態様は通信環境情報を検知する通信環境検知部と、前記通信環境情報に基づく通知情報の送信間隔を定める通信環境情報通知制御部と、前記通知情報を前記送信間隔で外部機器に送信する外部機器通信部と、を有する通信装置である。
（２）また、本発明の他の態様として、ネットワークから情報を受信するネットワーク通信部を有し、前記通信環境情報が前記情報の受信レベル情報であること、としてもよい。
【０００７】
（３）また、本発明の他の態様として、前記通信環境検知部は、前記外部機器の能力情報を受信し、前記通信環境情報通知制御部は、前記送信間隔を前記能力情報に基づき定めること、としてもよい。
（４）また、本発明の他の態様として、前記通信環境情報通知制御部は、前記通信環境情報が前記通知情報の変化の頻度が一定以上の頻度の場合、前記送信間隔を延長すること、としてもよい。
（５）また、本発明の他の態様として、前記通信環境情報が、電源の残量情報であること、としてもよい。
【発明の効果】
【０００８】
本発明によれば、通信環境情報の外部機器への送信において必要以上の電力の消費を抑えることができる。
【図面の簡単な説明】
【０００９】
【図１】本発明の実施形態に係る無線通信システムの概念図である。
【図２】本実施形態に係る移動局装置２のブロック図である。
【図３】本実施形態に係る登録情報及び設定情報の一例を示す図である。
【図４】本実施形態に係る外部機器３のブロック図である。
【図５】本実施形態に係る通信環境情報通知制御部２１２における処理の一例を示すフローチャートである。
【図６】本実施形態に係る受信レベル通知間引き処理の一例を示すフローチャートである。
【図７】本実施形態に係る受信レベル通知頻度を設定する処理の一例を示すフローチャートである。
【図８】本実施形態に係る受信レベル通知頻度を設定する処理の一例を示すフローチャートである。
【図９】本実施形態に係る受信レベル通知間引き処理の他の例を示すフローチャートである。
【図１０】本実施形態に係る通知情報表示部３０５に表示するアンテナの本数と受信レベルの区間情報の関係の一例を示す表である。
【発明を実施するための形態】
【００１０】
（第１の実施形態）
以下、図面を参照しながら本発明の実施形態について詳しく説明する。
図１は、本発明の実施形態に係る無線通信システム１の概念図を示す。無線通信システム１は、２台又はそれ以上の台数の移動局装置２、７、外部機器３及び無線通信によるネットワーク６を含んで構成される。ネットワーク６は、少なくとも２基の基地局装置４、５を含んで構成される。
【００１１】
ここで、移動局装置２は、基地局装置４及び５を介して移動局装置７との間で情報を送受信する通信装置である。ここで情報とは、音声信号、画像信号、計測データのようなアナログ情報や、コンピュータのプログラムや電子メールのテキスト情報などのようなディジタル情報が典型的なものである。また、移動局装置２は、それ自身が生成する情報、記憶装置に記憶する情報、又は移動局装置７からの情報を外部機器３へ送信する。また、移動局装置２は、外部機器３からの情報を受信し、その情報を自身の記憶装置に記憶し、又は移動局装置７へ送信する。移動局装置とは、例えば、携帯電話機、簡易型携帯電話機であるＰＨＳ、通信機能を有するＰＤＡ（携帯情報端末）である。
外部機器３は、移動局装置２からの情報を受信し、その情報を自身の記憶装置に記憶し、又は表示装置の画面に表示する。外部機器３は、また、情報を入力され又は情報を生成し、そしてその情報を移動局装置２へ送信するものであってもよい。例えば、ハンズフリーイヤホンマイクや携帯型ナビゲーション装置である。
【００１２】
基地局装置４は、移動局装置２からの情報を受信し、基地局装置５へ、その情報を送信する。また、基地局装置４は基地局装置５からの情報を受信し、移動局装置２へ、その情報を送信する。
基地局装置５は、移動局装置７からの情報を受信し、基地局装置２へ、その情報を送信する。また、基地局装置５は基地局装置４からの情報を受信し、移動局装置７へ、その情報を送信する。
移動局装置７は、基地局装置５、４を介して移動局装置２との間で情報を送受信する通信装置である。
【００１３】
移動局装置２、７及び基地局装置４、５の間の情報の送受信は、その間の空間を伝搬する電波を用いる。移動局装置２及び基地局装置４は互いに、例えば、数ｋｂｐｓから数Ｍｂｐｓの伝送速度で、比較的広い範囲（数百ｍから数ｋｍ）で、データの送信又は受信を行う。データの送信方式は、例えば直交周波数分割多元接続（ＯＦＤＭＡ、Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式である。使用する周波数帯域は、移動局装置２から基地局装置４までの上りにおいて例えば１９４０ＭＨｚから１９６０ＭＨｚ、基地局装置４から移動局装置２までの下りにおいて例えば２１３０ＭＨｚから２１５０ＭＨｚである。
移動局装置２及び外部機器３の間の情報の送受信は、その間の空間を伝搬する電波を用いる。移動局装置２及び外部機器３は互いに、高速通信、例えば１Ｍｂｐｓの伝送速度で、比較的に狭い範囲（１０ｍ〜１００ｍ以内）で、データの送信又は受信を行う。
但し、この送受信方式は、移動局装置２、７及び基地局装置４、５の間の情報の送受信に用いられる方式と異なる方式である。この方式は、例えば近距離無線通信規格の１つであるＢｌｕｅｔｏｏｔｈ（登録商標）である。Ｂｌｕｅｔｏｏｔｈ（登録商標）は、スペクトル拡散技術を利用する小電力通信である。使用する周波数帯域は、例えば２４００ＭＨｚから２５００ＭＨｚであり、移動局装置２及び基地局装置４との間における通信において使用される帯域とは異なる。この帯域はＩＳＭバンド（Ｉｎｄｕｓｔｒｙ  Ｓｃｉｅｎｃｅ  Ｍｅｄｉｃａｌ  ｂａｎｄ）とも呼ばれる。
【００１４】
図２は、本発明の実施形態に係る移動局装置２の構成を示す概略ブロック図である。移動局装置２は、ネットワーク通信部２０１、復調部２０２、Ｄ／Ａ（Ｄｉｇｉｔａｌ／Ａｎａｌｏｇ）部２０３、Ａ／Ｄ（Ａｎａｌｏｇ／Ｄｉｇｉｔａｌ）部２０４、変調部２０５、データ送信部２０６、接続管理部２０７、外部機器通信部２０８、設定入出力部２１０、管理情報記憶部２１１、２次電池部２１２、残量検知部２１３、タイマー部２１４、操作入力部２１５、通信環境情報通知制御部２１７を含んで構成される。また、通信環境検知部２１６は、復調部２０２、接続管理部２０７、設定入出力部２１０及び残量検知部２１３と、を含んで構成される。
以下に説明する移動局装置２は、他の移動局装置７と音声信号をデータ信号として送受信するが、これには限定されず、映像信号や電子メール等のテキスト情報を送受信してもよい。また、以下に説明する移動局装置２は、外部機器３に移動局装置７から受信した音声信号をデータ信号として送信するが、送信する情報はこれに限定されない。移動局装置２は、外部機器３に対して映像信号やテキスト情報を送信してもよいし、外部機器３から音声信号、映像信号、テキスト情報の他、操作入力信号を受信してもよい。
【００１５】
ネットワーク通信部２０１は、基地局装置４が送信した電波に乗ったデータ信号及び受信制御信号を受信信号として受信し、この受信信号をダウンコンバートし、アナログ・ディジタル変換して、ベースバンド信号を生成し、このベースバンド信号を復調部２０２に出力する。ネットワーク通信部２０１は、また、変調部２０５から入力されたベースバンド信号をディジタル・アナログ変換の後、アップコンバートして、この送信信号を電波に乗せて基地局装置４に送信する。
復調部２０２は、ネットワーク通信部２０１から入力されたベースバンド信号に基づきＦＦＴ（高速フーリエ変換）を施した後に、デマッピングにより受信制御信号とデータ信号を検出する。復調部２０２は、その受信信号のレベルを検知し、検知した受信レベル信号を通信環境情報の一種として通信環境情報通知制御部２１２に出力する。復調部２０２は、データ信号をＡ／Ｄ部２０３に出力し、データ送信部２０６に出力する。また、復調部２０２は、受信制御信号を接続管理部２０７に出力する。
Ｄ／Ａ部２０３は、復調部２０２から入力されたデータ信号のうちディジタル音声信号を、アナログ音声信号に変換する。この音声信号は、受話音声として移動局装置２において再生されることが出来る。
Ａ／Ｄ部２０４は、入力されたアナログ音声信号を、アナログ／ディジタル変換してデータ信号を生成し、変調部２０５に出力する。
変調部２０５は、Ａ／Ｄ部２０４から入力されたデータ信号、及び接続管理部２０７から入力された送信制御信号を符号化、変調を施して送信信号を生成して、マッピング、ＩＦＦＴ（逆高速フーリエ変換）の後に、ベースバンド信号としてネットワーク通信部２０１へ送出する。ネットワーク通信部２０１は、このベースバンド信号をディジタル・アナログ変換の後に、アップコンバートして送信信号を電波として基地局装置４に送信する。
データ送信部２０６は、通信環境情報通知制御部２１７から入力された通信環境情報に基づく通知情報、及び復調部２０２から入力されたデータ信号を、外部機器通信部２０８へ出力する。
【００１６】
接続管理部２０７は、他の移動局装置７との通信の確立や終了を制御するための送信制御信号を生成し、変調部２０５に出力する。送信制御信号は、例えば通信を開始するための通信開始信号、又は通信を終了するための通信終了信号である。接続管理部２０７は、他の移動局装置７から通信の確立や終了を制御するための受信制御信号を、復調部２０２から入力される。
接続管理部２０７は、外部機器３に対する外部制御信号を生成し、外部機器通信部２０９へ出力する。外部制御信号は、例えば、外部機器３の登録要求、接続確認、パラメータ設定要求及び接続要求を示す信号である。また、接続管理部２０７は、外部機器通信部２０８から入力された外部応答信号に含まれる外部機器３の登録情報を管理情報記憶部２１１に記憶し、管理情報記憶部２１１から設定情報を読み出す。
【００１７】
接続管理部２０７は、外部機器通信部２０８の動作モードの値を記憶する記憶装置を備える。動作モードの値は、例えば値１をとる場合、通常動作モードを、値０をとる場合、省電力モードを示す。ここで、通常動作モードとは外部機器通信部２０８が外部機器３との間でデータの送受信を行っている場合等、所定量以上の電力を消費する動作状態である。省電力モードとは、外部機器通信部２０８が外部機器３との間で、データの送受信を行わず、動作状態の遷移を行う等、機能を維持するために最小限の電力を消費する動作状態である。
【００１８】
接続管理部２０７は、例えば、ネットワーク通信部２０１がネットワーク６に発信開始信号を送信した後、又は、設定入出力部２１０又は操作入力部２１５が操作入力を受け付けた場合、動作モード情報を、値１、つまり通常動作モード情報とする。また、接続管理部２０７は、例えば、ネットワーク通信部２０１がネットワーク６に通信切断信号を送信し、かつ設定入出力部２１０が操作入力を受け付けた後、一定時間（例えば５分）以上操作入力がない場合、動作モード情報を、値０、つまり省電力モード情報とする。
接続管理部２０７は、通信環境情報通知制御部２１２から動作モード確認信号を入力されたとき、動作モード情報が値１、つまり通常動作モード情報であるとき通信環境情報通知制御部２１７に通常動作モード信号を出力し、動作モード情報が値０、つまり省電力モード情報であるとき、通信環境情報通知制御部２１７に省電力モード信号を出力する。
【００１９】
外部機器通信部２０８は、データ送信部２０６から入力された通信環境情報に基づく通知情報信号及び接続管理部２０７から入力された外部制御信号に対して、外部機器３に特有の拡散符号を乗算した後に、ディジタル・アナログ変換を施し、次いでアップコンバートし、通知情報信号及び外部制御信号を電波として外部機器３に送信する。また、外部機器通信部２０８は、外部機器３からの電波を受信信号として受信し、受信信号をダウンコンバートし、ダウンコンバートした信号に拡散符号を乗算して、外部応答信号を生成する。外部機器通信部２０８は、外部応答信号を接続管理部２０７へ出力する。
【００２０】
設定入出力部２１０は、設定ガイド画面を表示し、その画面に含まれる項目に応じた設定情報をユーザの操作に伴い入力する。設定情報については後述する。
また、入力した設定情報を管理情報記憶部２１１に出力する。
管理情報記憶部２１１は、接続管理部２０７から入力された登録情報及び設定入出力部２１０から入力された設定情報を記憶する。
【００２１】
図３は、本実施形態に係る外部機器毎の登録情報及び設定情報の一例を示す図である。図３において、横欄が機器Ａ、Ｂ、Ｃという外部機器の種別を示し、縦欄が記憶される情報の種別、即ち、通知頻度情報、入出力能力情報、機器種別情報、識別情報及び対応プロファイル情報を示す。そのうち、通知頻度情報が設定情報である。入出力能力情報、機器種別情報、識別情報及び対応プロファイル情報が登録情報である。
ここで、通知頻度情報は、外部機器３への通知頻度の区分を示す情報である。通知頻度情報には、例えば、通知頻度が低いことを示す“低”、通知頻度が中程度であることを示す“中”、通知頻度が高いことを示す“高”、がある。「なし」は、通知頻度情報がないことを示す。図３では、機器Ａでは、通知頻度情報がなく、機器Ｂでは、通知頻度情報が中であり、機器Ｃでは、高である。
入出力能力情報とは、外部機器３が有する機能を示す情報である。例えば、機器Ａの”ＮｏＩｎｐｕｔＮｏＯｕｔｐｕｔ” は、外部機器Ａがデータの入出力ともに実行する機能を有しないことを示す。”ＤｉｓｐｌａｙＹｅｓＮｏ”は、外部機器Ｂが表示機能と、少なくとも “Ｙｅｓ”及び “Ｎｏ”に各々対応する入力ボタンを有することを示す。”ＤｉｓｐｌａｙＯｎｌｙ” は、外部機器Ｃが入力機能を有しないがデータを表示する機能を有することを示す。図３には示していないが、“ＫｅｙｂｏａｒｄＯｎｌｙ”とは、外部機器３が入力装置を有し、表示装置を有しないことを示す。
機器種別情報とは、外部機器３の種別を示す情報である。例えば、ヘッドセット（イヤホンとマイクが一体となった入出力装置）、携帯電話、又はハンズフリー（送受話器を手に持つことなく通話を行うことができるように設計された通信機）である。
識別情報とは、外部機器３の各々を識別する情報である。例えば、ＢＤアドレスである。ＢＤアドレスとは、Ｂｌｕｅｔｏｏｔｈの規格に対応した機器を識別するための４８ビットの一意のアドレスである。機器Ａの機器種別情報はヘッドセットであり、機器Ｂは携帯電話であり、機器Ｃはハンズフリーである。対応プロファイル情報とは、外部機器３が実行することができるプロファイルを示す情報である。例えば、機器Ａの対応プロファイル情報は、ＨＳＰ、ＨＦＰ、Ａ２ＤＰである。
【００２２】
プロファイルとは、機器の種類毎にその機能に応じて策定されたプロトコルである。Ｂｌｕｅｔｏｏｔｈ（登録商標）の規格においては、通信しようとする機器同士が同一のプロファイルを実行可能でなければ、そのプロファイルによる通信を実現することができない。例えば、ＨＳＰ（Ｈｅａｄｓｅｔ  Ｐｒｏｆｉｌｅ、ヘッドセット・プロファイル）とは、外部機器３がモノラル音声信号を受信するためのプロファイルである。ＨＦＰ（Ｈａｎｄｓ−Ｆｒｅｅ  Ｐｒｏｆｉｌｅ、ハンズフリー・プロファイル）とは、外部機器３が音声信号の発信・着信機能のみならず、通信の発信・着信機能を持つためのプロファイルである。Ａ２ＤＰ（Ａｄｖａｎｃｅｄ  Ａｕｄｉｏ  Ｄｉｓｔｒｉｂｕｔｉｏｎ  Ｐｒｏｆｉｌｅ、アドバンスト・オーディオ・ディストリビューション・プロファイル）とは、外部機器３がステレオ音声信号を受信するためのプロファイルである。ＳＰＰ（Ｓｅｒｉａｌ  Ｐｏｒｔ  Ｐｒｏｆｉｌｅ、シリアル・ポート・プロファイル）とは、外部機器３がシリアルポートとしてデータ転送機能を実行するためのプロファイルである。ＢＩＰ（Ｂａｓｉｃ  Ｉｍａｇｉｎｇ  Ｐｒｏｆｉｌｅ、ベーシック・イメージング・プロファイル）とは、外部機器３に静止画像を転送するためのプロファイルである。
【００２３】
図２に戻って、管理情報記憶部２１１は、受信レベルの区間値と受信レベルの区間情報とを対応付けて記憶している。受信レベルの区間情報とは、外部機器３に表示する受信レベルを識別する情報である。例えば、受信レベルの区間情報とは、画面上に表示するアンテナの本数である。その場合、管理情報記憶部２１１は、例えば、受信レベルの区間情報１，２及び３に、受信レベルの区間値−１１０ｄＢｍ未満、−１１０ｄＢｍ以上−１０５ｄＢｍ未満、及び−１０５ｄＢｍ以上を対応づけて記憶する。なお、受信レベルの区間情報が１，２，３とは、画面に表示するアンテナの本数が１本、２本、３本であることにそれぞれ対応する。
【００２４】
２次電池部２１２は、外部から供給を受けた電力を蓄電する。また、２次電池部２１２は、蓄電した電力を移動局装置２の各部に供給する。
残量検知部２１３は、２次電池部２１２における蓄電された電力の残量を検知し、残量情報を通信環境情報の一種として通信環境情報通知制御部２１７に出力する。
タイマー部２１４は、通信環境情報通知制御部２１７から計測開始信号を入力され、計測開始信号の入力された時点からの時間を計測する。タイマー部２１４は、通信環境情報通知制御部２１７から計測状態問い合わせ信号を入力され、時間を計測している期間において、計測状態信号を通信環境情報通知制御部２１７に出力する。また、タイマー部２１４は、時間計測を行っていない場合は、非計測状態信号を通信環境情報通知制御部２１７に出力する。タイマー部２１４は、通信環境情報通信制御部２１７から時間問い合わせ信号を入力され、計測開始からの時間情報を通信環境情報通信制御部２１７に出力する。タイマー部２１４は、通信環境情報通信制御部２１７から計測停止信号を入力される時、時間の計測を停止する。
操作入力部２１５は、通信開始、通信相手となる他の移動局装置７の識別番号、通信終了、などの通信に伴う操作入力を受けつけ、それらに応じた入力信号を接続管理部２０７に出力する。
【００２５】
通信環境検知部２１６は、種々の通信環境情報を検知し、検知した通信環境情報を通信環境情報通知制御部２１７に出力する。通信環境情報とは、移動局装置２が他の移動局装置７や外部機器３と通信する際、移動局装置２自体の機能や性能に影響する情報をいう。例えば、復調部２０２、接続管理部２０７、設定入出力部２１０及び残量検知部２１３において検知又は取得された、受信レベル信号、外部機器３への通知頻度情報、外部機器３の入出力能力情報、２次電池部２１２の残量情報が、通信環境情報に該当する。
【００２６】
通信環境情報通知制御部２１７は、復調部２０２から入力された受信レベル信号、管理情報記憶部２１１から読み出した設定情報及び登録情報、又は残量検知部２１３から読み出された残量情報のうちの何れか又はこれらの組み合わせに従って、送信時間間隔を定める。
通信環境情報通知制御部２１７は、タイマー部２１４に時間の計測の開始を指示する計測開始信号を出力する。通信環境情報通知制御部２１７は、タイマー部２１４に時間の計測を行っているか否かを確認するための計測状態問い合わせ信号を出力し、タイマー部２１４から時間計測中であることを示す計測状態信号又は時間計測中でないことを示す非計測状態信号を入力される。通信環境情報通知制御部２１７は、タイマー部２１４に時間計測の停止を指示する計測停止信号を出力する。通信環境情報通知制御部２１７は、タイマー部２１４に計測している時間を確認するための時間問い合わせ信号を出力し、タイマー部２１４からは計測している時間を示す時間情報を入力される。通信環境情報通知制御部２１７は、これらの計測状態信号、非計測状態信号、時間情報に基づいて前述の送信時間間隔を定めるようにしてもよい
また、通信環境情報通知制御部２１７は、検知された通信環境情報に基づいて通知情報を定める。例えば、通信環境情報通知制御部２１７は、管理情報記憶部２１１を参照して、入力された受信レベル信号が示す受信レベルが属する受信レベル区間情報を定める。また、入力された残量情報が示す残量が属する残量区間情報を定める。通信環境情報通知制御部２１７は、この定められた通知情報、即ち受信レベル区間情報又は残量区間情報をデータ送信部２０６に前述の送信時間間隔で出力する。
通信環境情報通知制御部２１７における処理については後述する。
【００２７】
図４は、外部機器３の構成を示す概略ブロック図である。外部機器３は、移動局通信部３０１、復調部３０２、Ｄ／Ａ部３０３、復調部３０４、通信情報表示部３０５、接続管理部３０６、設定入出力部３０７、管理情報記憶部３０８、及び通知情報受信制御部３０９、を含んで構成される。
以下に説明する外部機器３は、移動局装置２から受信した音声信号を再生するが、これに限定されない。外部機器３は、移動局装置２から受信した映像信号やテキスト情報を再生してもよい。また、外部機器３は音声信号、映像信号、テキスト情報、操作入力信号を入力され、これらの全部又は一部を移動局装置２に送信することができる。
【００２８】
移動局通信部３０１は、移動局装置２が送信した送信信号を受信して、ダウンコンバートし、アナログ・ディジタル変換して、ベースバンド信号として復調部３０２に出力する。また、移動局通信部３０１は、変調部３０４から入力された送信信号をディジタル・アナログ変換し、アップコンバートした後に、送信信号を電波に乗せて移動局装置２へ出力する。
復調部３０２は、移動局通信部３０１から入力された受信信号を復調、復号して、データ信号、通知情報及び制御情報を抽出する。復調部３０２は、データ信号をＤ／Ａ部３０３に出力し、通知情報を通知情報受信制御部３０９に出力し、制御情報を接続管理部３０６又は設定入出力部３０７に出力する。
Ｄ／Ａ部３０３は、復調部３０２から入力されたデータ信号をアナログ音声信号に変換する。変換されたアナログ音声信号に基づきスピーカ（図示せず）又はイヤホンにより音声が再生される。
接続管理部３０６又は設定入出力部から入力された応答信号は、変調部３０４、移動局通信部３０１を介して、応答信号を電波として移動局装置３の通信部３０１へ送信する。
【００２９】
通知情報表示部３０５は、通知情報受信制御部３０９から入力された通知情報に応じた表示を行う。例えば、通知情報が受信レベル区間情報である場合、通知情報表示部３０５は、受信レベルの区間情報に応じたアンテナの本数を表示する。受信レベルの区間情報に応じたアンテナの本数の表示例を図１０に示す。図１０において、左列は受信レベルの区間情報を示し、右列は画面表示を示す。図１０の例では、受信レベルの区間情報が１、２、３の場合、画面に表示されるアンテナの本数はそれぞれ１、２、３本となる。
なお、通知情報が残量区間情報である場合、通知情報表示部３０５は、電池の図柄のうち残量の区間に応じた部分を塗りつぶし表示してもよい。なお、通知情報表示部３０５は、表示のための液晶表示装置、有機ＥＬ表示装置、等の表示装置を備える。
移動局装置２が外部機器３へ制御信号を送信した場合、接続管理部３０６は、復調部３０２から入力された制御信号に応じた応答信号を変調部３０４に出力する。例えば、制御信号が認証要求信号である場合、接続管理部３０６は、管理情報記憶部３０８から読み出した認証情報を照合し、入力された制御信号の指定する条件に一致するときは、認証確認信号を応答信号として変調部３０４に出力する。
設定入出力部３０７もまた、復調部３０２から入力された制御信号に応じた応答信号を変調部３０４に出力する。例えば、制御信号が外部機器情報要求信号である場合には、設定入出力部３０７は、管理情報記憶部３０８から外部機器３の機器情報を外部機器情報として読出し、この外部機器情報を応答信号として変調部３０４に出力する。
管理情報記憶部３０８は、外部機器３に固有の情報として前述の認証情報と外部機器情報を記憶する。
通知情報受信制御部３０９は、移動局通信部３０１から復調部３０２を経て入力された通知情報を通知情報表示部３０５に出力する。
【００３０】
次に、移動局装置２が外部機器３の能力に応じて通信環境情報に基づく通知情報の通知頻度を設定する処理について、フローチャートを用いて説明する。
図５は、本実施形態における通信環境情報に基づく通知頻度を設定する処理の一例を示すフローチャートである。
（ステップＳ４０１）移動局装置２の接続管理部２０７は、外部機器３との接続要求信号を外部機器通信部２０８に出力する。外部機器通信部２０８は、接続要求信号を送信信号として外部機器３に送信する。
外部機器３の移動局通信部３０１は、移動局装置２からの信号を受信し、受信した受信信号をダウンコンバートし、ダウンコンバートした信号を復調部３０２に出力する。復調部３０２は、ダウンコンバートした信号を復調・復号して、復号信号から接続要求信号を抽出し、その接続要求信号を接続管理部３０６に出力する。接続管理部３０６は、接続要求信号を入力され、変調部３０６に接続確認信号を出力する。変調部３０４は、接続管理部３０６から入力された接続要求信号を符号化・変調して、この信号を移動局通信部３０１へ出力する。移動局通信部３０１は、変調部３０４から入力された信号をアップコンバートし、送信信号を生成し、この送信信号を電磁波として移動局装置２に送信する。外部機器通信部２０８は、外部機器３からの受信信号を受信し、受信信号をダウンコンバートする。外部機器通信部２０８は、ダウンコンバートした信号から接続確認信号を抽出して接続管理部２０７に出力する。
【００３１】
（ステップＳ４０２）接続管理部２０７は、外部機器通信部２０８から接続確認信号を入力され、認証要求信号を外部機器通信部２０８に出力する。外部機器通信部２０８は、認証要求信号をアップコンバートして送信信号として外部機器３に電波として送信する。外部機器３の移動局通信部３０１は、移動局装置２からのこの送信信号を受信して、受信信号をダウンコンバートして復調部３０２に出力する。復調部３０２は、ダウンコンバートした信号を復調・復号してから認証要求信号を抽出し、その認証要求信号を接続管理部３０６に出力する。接続管理部３０６は、復調部３０２から入力された認証要求信号と管理情報記憶部３０８から読み出した認証情報を照合する。接続管理部３０６が照合に成功した場合、認証確認信号を変調部３０４に出力する。変調部３０４は、認証確認信号を符号化・変調して、移動局通信部３０１へ出力する。移動局通信部３０１は、変調部３０４から受け取った信号をアップコンバートして送信信号を生成し、送信信号を移動局装置２に電波として送信する。外部機器通信部２０８は、外部機器３からの受信信号を受信し、受信信号をダウンコンバートする。外部機器通信部２０８は、ダウンコンバートした信号から認証確認信号を抽出して接続管理部２０７に出力する。
【００３２】
（ステップＳ４０３）移動局装置２の接続管理部２０７は、能力情報要求信号を外部機器通信部２０８に出力する。外部機器通信部２０８は、能力情報要求信号をアップコンバートして送信信号を生成し、外部機器３に送信する。移動局通信部３０１は、移動局装置２からの送信信号を受信される。移動局通信部３０１は、受信信号を復調部３０２に出力する。復調部３０２は、受信信号をダウンコンバートし、ダウンコンバートした信号から能力情報要求信号を抽出し、接続管理部３０６に出力する。接続管理部３０６は、能力情報要求信号を復調部３０２から入力され、管理情報記憶部３０８から入出力能力情報を読み出す。
接続管理部３０６は、読み出した入出力能力情報を変調部３０４に出力する。変調部３０４は、接続管理部３０６から入力された入出力能力情報をアップコンバートして送信信号を生成し、移動局通信部３０１に出力する。移動局通信部３０１は、変調部３０４から入力された送信信号を移動局装置２に送信する。外部機器通信部２０８は、外部機器３からの受信信号をダウンコンバートし、ダウンコンバートした信号から入出力能力情報を抽出し接続管理部２０７に出力する。接続管理部２０７は、外部機器通信部２０８から入力された入出力能力情報を管理情報記憶部２１１に記憶する。
【００３３】
（ステップＳ４０４）接続管理部２０７は、入力された入出力能力情報が、外部機器３が入力表示機能を有しない旨を示す情報であるか否か、を判断する。（ステップＳ４０４  Ｙ）。例えば、ＢＬＵＥＴＯＯＴＨ  ＳＰＥＣＩＦＩＣＡＴＩＯＮ  Ｖｅｒｓｉｏｎ２．１のＳＥＣＵＲＥ  ＳＩＭＰＬＥ  ＰＡＩＲＩＮＧにおける規定によれば、そのような入出力能力情報は、「ＮｏＩｎｐｕｔＮｏＯｕｔｐｕｔ」または「ＫｅｙｂｏａｒｄＯｎｌｙ」である。接続管理部２０７が、その入出力能力情報が、外部機器３が入力表示機能を有しない旨を示す情報であるときステップＳ４０５に進む。（ステップＳ４０４  Ｎ）接続管理部２０７が、その入出力能力情報が、外部機器３が入力表示機能を有しない旨を示す情報でないとき、処理を終了する。
【００３４】
（ステップＳ４０５）通信環境情報通知制御部２１７は、通知情報の送信を行わないことを示す送信頻度信号“非送信”を生成し、管理情報記憶部２０８に記憶する。
これにより、外部機器３が入力表示機能を有しない場合には、移動局装置２は通知情報の送信を行わずに済む。そのため、移動局装置２は、送信にかかる電力の消費を回避できる。
また、移動局装置２と外部機器３を２台以上接続し登録する場合、外部機器３ごとに前述の処理を実行することにより、各外部機器３が有する能力情報に応じた通知情報の送信の要否を判断することができる。そのため、移動局装置２は、必要な通知情報の提供を行うと同時に、不要な情報の提供を回避することにより送信にかかる電力の消費を最適化することができる。
【００３５】
次に、本実施形態に係る通信環境情報通知制御部２１７における処理について図を用いて説明する。
図６は、本実施形態に係る通信環境情報通知制御部２１７における処理の一例を示すフローチャートである。
（ステップＳ５０１）通信環境情報通知制御部２１７は、復調部２０２から通信環境情報、例えば受信レベル信号を入力される。
（ステップＳ５０２）通信環境情報通知制御部２１７は、接続管理部２０７に外部機器３の接続確認要求信号を出力する。（ステップＳ５０２  Ｙ）通信環境情報通知制御部２１７が接続確認要求信号の応答として接続確認信号を受信するとき、ステップＳ５０３に進む。（ステップＳ５０２  Ｎ）通信環境情報通知制御部２１７が一定の時間（例えば９０秒）内に接続確認信号を受信しないとき、処理を終了する。
【００３６】
（ステップＳ５０３）通信環境情報通知制御部２１７は、接続管理部２０７に動作モード確認信号を出力する。（ステップＳ５０３  Ｙ）接続管理部２０７から動作モード確認信号の応答として、省電力モード信号を入力されたとき、ステップＳ５０４に進む。（ステップＳ５０３  Ｎ）接続管理部２０７から通常動作モード信号を入力されたとき、ステップＳ５０６に進む。
（ステップＳ５０４）通信環境情報通知制御部２１７は、管理情報記憶部２１１から通知頻度情報を読み出す。（ステップＳ５０４  Ｙ）通信環境情報通知制御部２１７が通知頻度情報の読出しに成功した場合は、ステップＳ５０５に進む。（ステップＳ５０４  Ｎ）通信環境情報通知制御部２１７が通知頻度情報の読出しに失敗した場合は、ステップＳ５０６に進む。
【００３７】
（ステップＳ５０５）通信環境情報通知制御部２１７は、通知情報の送信を延期する処理を実行する。この処理が完了した後、通信環境情報通知制御部２１７は処理を終了する。
（ステップＳ５０６）通信環境情報通知制御部２１７は、通信環境情報が受信レベル信号であるとき、これに基づき、管理情報記憶部２０８を参照して通信環境情報に基づく通知情報として受信レベル区間情報を定める。（ステップＳ５０６  Ｙ）通信環境情報が、直前に出力した通信環境情報と同一の場合は、処理を終了する。（ステップＳ５０６  Ｎ）定めた通知情報が、直前に出力した通知情報から変化した場合は、ステップＳ５０７に進む。
（ステップＳ５０７）通信環境情報通知制御部２１２は、定めた通知情報をデータ送信部２０３に出力する。
【００３８】
次に、前述の通知情報送信延期処理（ステップＳ５０５）について図を用いて説明する。図７は、本実施形態に係る通信環境情報通知延期処理の一例を示すフローチャートである。
（ステップＳ６０１）通信環境情報通知制御部２１７は、復調部２０２から通信環境情報、例えば受信レベル信号を入力される。通信環境情報通知制御部２１７は、通信環境情報が受信レベル信号である場合、これに基づき、管理情報記憶部２０８を参照して通信環境情報に基づく通知情報として受信レベル区間情報を定める。
（ステップＳ６０２）通信環境情報通知制御部２１７は、タイマー部２１４に時間計測中か否かを確認するための計測状態問合せ信号を出力する。（ステップＳ６０２  Ｙ）通信環境情報通知制御部２１７が、タイマー部２１４から時間計測中であることを示す計測状態信号を入力されたとき、ステップＳ６０３に進む。（ステップＳ６０２  Ｎ）通信環境情報通知制御部２１７が、タイマー部２１４から時間計測中ではないことを示す非計測状態信号を入力されたときステップＳ６０７に進む。
（ステップＳ６０３）通信環境情報通知制御部２１７は、その通知情報を記憶する。
【００３９】
（ステップＳ６０４）通信環境情報通知制御部２１７は、タイマー部２１４に計測中の時間を確認するための時間問合せ信号を出力し、タイマー部２１４から計測中の時間を示す時間情報を入力される。通信環境情報通知制御部２１７は、入力された時間情報が示す時間が予め設定された送信時間間隔よりも大きいか否か判断する。（ステップＳ６０４  Ｙ）時間情報が示す時間が設定された送信時間間隔よりも大きい場合、ステップＳ６０５に進む。なお、送信時間間隔を定める方法については後述する。（ステップＳ６０４  Ｎ）入力された時間情報が示す時間が設定された送信時間間隔と等しい又は小さい場合、ステップＳ６０１に戻る。
（ステップＳ６０５）通信環境情報通知制御部２１７は、保存した通知情報が直前に出力した通知情報と同一か否かを判断する。（ステップＳ６０５  Ｙ）保存した通知情報が、直前に出力した通知情報と同一の場合は、処理を終了する。（ステップＳ６０５  Ｎ）保存した通知情報が、直前に出力した通知情報と同一でない場合は、ステップＳ６０６に進む。
（ステップＳ６０６）通信環境情報通知制御部２１７は、保存した通知情報をデータ送信部２０６に出力する。これにより、通知情報が変化した場合に外部機器３に送信されることとなり、同一の通知情報を繰り返し送信することによる電力の消費が回避される。
【００４０】
（ステップＳ６０７）通信環境情報通信制御部２１７は、タイマー部２１４に時間の計測の開始を指示する計測開始信号を出力する。タイマー部２１４は、通信環境情報通信制御部２１７から計測開始信号を入力されたとき、時間計測を開始する。
（ステップＳ６０８）通信環境情報通知制御部２１７は、通信環境情報が受信レベル信号である場合、管理情報記憶部２０８が記憶する受信レベル区間情報を参照して入力された受信レベル信号が属する受信レベル区間情報を通知情報として決定する。通信環境情報通知制御部２１７は、その通知情報が直前に出力した通知情報と同一であるか否か判断する。（ステップＳ６０８  Ｙ）その通知情報が、直前に出力した通知情報と同一の場合は、ステップＳ６０１に戻る。（ステップＳ６０８  Ｎ）その通知情報が、直前に出力した通知情報と同一でない場合は、ステップＳ６０９に進む。
（ステップＳ６０９）通信環境情報通知制御部２１７は、通知情報をデータ送信部２０６に出力する。ここでも、通知情報が変化した場合に外部機器３に送信されることとなり、同一の通知情報を繰り返し送信することにより電力を消費せずに済む。
【００４１】
よって、移動局装置２は、設定された送信時間間隔が経過するまで外部機器３への通信環境情報に基づく通知情報の送信が延期され、設定された送信時間間隔で通知情報が送信されることになる。後述するように、この送信時間間隔をさらに変更することによって、移動局装置２の電力の消費をさらに抑制することもできる。
なお、上述の説明では、主に通信環境情報が受信レベル信号、通知情報が受信レベル区間情報である場合について例示したが、これに限られない。通信環境情報は、例えば２次電池部２１２の残量信号、通知情報が残量レベル区間情報であってもよい。
【００４２】
次に、移動局装置２が設定画面を表示し、通知情報の送信時間間隔を設定する処理について図を用いて説明する。
図８は、本実施形態に係る通知情報の送信時間間隔を設定する処理の一例を示すフローチャートである。この処理のうちステップＳ４０１〜Ｓ４０５は、図５に示す処理と共通である。ステップＳ４０４に後続するステップＳ４０６〜Ｓ４１０が、新たに追加された部分である。
（ステップＳ４０４  Ｎ）接続管理部２０７が、外部機器３の入出力能力情報が入力表示機能を有しない旨を示す情報でないとき、ステップＳ４０６に進む。
【００４３】
（ステップＳ４０６）設定入出力部２１０は、設定ガイド画面を表示する。設定ガイド画面には、ユーザからの設定情報の入力を促す情報を表示する。設定入出力部２１０は、例えば、次の内容を表示する。
携帯電話の省電力を優先しますか？
（１）      大きく優先する
（２）      中程度優先する
（３）      少し優先する
（４）      優先しない
（５）      電池残量に応じて減らす
ここで、「携帯電話の省電力を優先しますか」が、ユーザに対して省電力の優先度の設定入力を促す情報である。（１）〜（５）は、各々設定項目を示し、ユーザに対して設定項目に対応する番号のキー入力部の押下を促す。例えば、設定項目（１）は、この項目を選択するために、１を示すキーを押下することを示す。
【００４４】
（ステップＳ４０７）ユーザが１つの設定項目に対応する番号のキーを押下したとき、設定入出力部２１０は、その設定項目情報を入力し、通信環境情報通知制御部２１７に出力する。例えば、ユーザが１を表示するキーを押下した場合、省電力を大きく優先する旨を示す設定項目情報を通信環境情報通知制御部２１７に出力する。
（ステップＳ４０８）通信環境情報通知制御部２１７は、入力された設定項目情報が電池の残量に応じた設定であるか否か判断する。（ステップＳ４０８  Ｎ）通信環境情報通知制御部２１７が、入力された設定項目情報が電池の残量に応じた設定でない場合、つまり（１）〜（４）のいずれかの場合、ステップＳ４０９に進む。（ステップＳ４０８  Ｙ）通信環境情報通知制御部２１７が、入力された設定項目情報が電池の残量に応じた設定である場合、つまり（５）の場合、ステップＳ４１０に進む。
（ステップＳ４０９）通信環境情報通知制御部２１７は、管理情報記憶部２１１から入力された設定項目情報に対応する送信時間間隔情報と通知頻度情報を読み出す。ここで、管理情報記憶部２１１は、設定項目情報、通知頻度情報及び前述の送信時間間隔情報を対応付けて記憶されている。通信環境情報通知制御部２１７は、読み出した通知頻度情報を機器毎の登録情報に対応付けた設定情報として管理情報記憶部２１１に記憶する（図３参照）。
【００４５】
ここで、管理情報記憶部２１１に記憶した通知頻度情報は、設定項目（１）〜（４）の順に低い。例えば、（１）、（２）、（３）、（４）各々に対して、例えば、“低”、“中”、“高”、“最高”である。対応する送信時間間隔情報は、（１）〜（４）の順に大きい。例えば、（１）、（２）、（３）、（４）各々に対して、６０秒、３０秒、１０秒、１秒である。即ち、通信環境情報通知制御部２１７は、（１）〜（４）の順で大きい送信時間間隔情報が設定されるので、移動局装置２は、その送信時間間隔により通信環境情報に基づく通知情報を外部装置３に送信する。そのため、移動局装置２は、ユーザの設定に応じて通知頻度をより低く決定することにより、送信にかかる電力を低減することができる。
【００４６】
（ステップＳ４１０）通信環境情報通知制御部２１７は、残量検知部２１３から２次電池部２１２の残量を示す残量情報を入力される。ここで、管理情報記憶部２１１は、残量区間情報及び送信時間間隔情報を対応付けて記憶している。通信環境情報通知制御部２１７が、入力された残量情報が、管理情報記憶部２１１に記憶した残量区間情報を参照して、その残量区間の何れに属するか判断し、判断した残量区間情報に対応する送信時間間隔情報を管理情報記憶部２１１から読み出す。
管理情報記憶部２１１に記憶した残量区間情報は、例えば、少ない順に、３００ｍＡｈ未満、３００ｍＡｈ以上６００ｍＡｈ未満、６００ｍＡｈ以上１０００ｍＡｈ未満、１０００ｍＡｈ以上と４段階からなる。また、各区間に対応した送信時間間隔情報は、例えば、各々大きい順に、６０秒、３０秒、１０秒、１秒、と４段階からなる。そのため、移動局装置２は、２次電池部２１２における残量が少ないほど、送信時間間隔を大きく、即ち通知頻度をより低く決定することにより、送信にかかる電力を低減することができる。
【００４７】
次に、通知情報送信延期処理（ステップＳ５０５）の別の態様について図を用いて説明する。
図９は、本実施形態に係る通知情報送信延期処理の他の例を示すフローチャートである。この処理のうちステップＳ６０１〜Ｓ６０９は、図７に示す処理と共通である。ステップＳ６２１〜Ｓ６２３は、図７に示す処理に新たに追加された部分である。これらの部分の処理は、通信環境情報が受信レベル信号である場合に、その変動の頻度を考慮する点に特徴がある。
【００４８】
（ステップＳ６２１）通信環境情報通知制御部２１７は、タイマー部２１４に時間の計測の開始を指示する計測開始信号を出力した後の、受信レベル信号に基づいて定めた受信レベル区間情報が変化した回数をカウントする。
【００４９】
（ステップＳ６２２）通信環境情報通知制御部２１７は、復調部２０２から受信レベル区間情報が変化した回数が予め設定された上限の回数を超えているか否か判断する。この上限回数は、例えば５回である。（ステップＳ６２２  Ｙ）ステップＳ６２１でカウントした受信レベル区間情報が変化した回数がその上限回数を超えている場合、ステップＳ６０５に進み、通信環境情報通知制御部２１７は、カウントした回数の情報をクリアする。（ステップＳ６２２  Ｎ）受信レベル区間情報が変化した回数がその上限回数を超えていない場合、ステップＳ６２３に進む。
（ステップＳ６２３）通信環境情報通信制御部２１７は、カウントした回数の情報をクリアし、タイマー部２１４に時間の計測の開始を指示する計測開始信号を出力する。タイマー部２１４は、通信環境情報通信制御部２１７から計測開始信号を入力されたとき、時間計測を開始する。ステップＳ６０１に戻る。
【００５０】
これにより、通信環境情報通知制御部２１７は、設定された送信時間間隔ごとに受信レベル区間が変化した回数をカウントし、その回数が予め定められた上限回数を超えていなければ、移動局装置２は、受信レベル区間情報を外部機器３に送信する。その回数が予め定められた上限回数を超えていれば、少なくとも、その送信時間間隔が経過するまで、移動局装置２は受信レベル区間情報の送信がさらに延期される。この上限回数を小さくすれば、受信レベル区間情報の送信が延期される可能性が高くなるために受信レベル通知頻度をより低くすることができる。一方で、上限回数を大きくすれば、受信レベル区間情報の送信が延期される可能性が低くなるため、受信レベルの通知頻度をより高くすることができる。
【００５１】
例えば、設定された送信時間間隔が３０秒、上限回数が６回の場合、５秒に１回以上受信レベル区間が変化すると移動局装置２は少なくとも３０秒経過するまで受信レベル区間情報の送信が延期される。このように受信レベル区間が頻繁に変動する現象は、移動中に生じることが多く、受信レベル区間が変化する回数のカウントが終了した後も継続することがある。このような場合、頻繁に変動する受信レベル区間情報は、利用者にとって有意義でないため、受信レベル区間情報を送信しないことで消費電力を削減することができる。
【００５２】
また、ステップＳ５０６、Ｓ６０５及びＳ６０８において、通信環境情報通知制御部２１７が、現在の通信環境情報と直前の通信環境情報と比較する際、異なる判断基準を用いてもよい。このようにすることで通信環境情報の変化の状況に応じて通信環境情報を送信するか否かの判断を変更できる。例えば、通信環境情報通知制御部２１７は、判断された受信レベル区間情報と直前に出力した受信レベル区間情報が２区間以上異なるか否かを判断してもよい。例えば、外部機器３に表示されるアンテナの本数が３本から１本、又は１本から３本に変化する場合、などのように、受信レベル区間の変動が著しい場合に、受信レベル区間情報の送信を限定し、受信レベル区間情報の変動が緩やかな場合には受信レベル区間情報の送信を回避することができる。
このように、本実施形態によれば、検知した通信環境に基づいて定めた頻度でその通信環境情報に基づく有効な通知情報を送信を行うことができる。
【００５３】
なお、上述した実施形態における移動局装置２の一部、例えば、通信環境検知部２１６、及び通信環境情報通知制御部２１７をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、移動局装置に内蔵されたコンピュータシステムであって、ＯＳや周辺機器等のハードウェアを含むものとする。また、コンピュータ読み取り可能な記録媒体とは、フレキシブルディスク、光磁気ディスク、ＲＯＭ、ＣＤ−ＲＯＭ等の記録媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における移動局装置及び移動局装置の一部、または全部を、ＬＳＩ（Ｌａｒｇｅ  Ｓｃａｌｅ  Ｉｎｔｅｇｒａｔｉｏｎ）等の半導体集積回路として実現しても良い。移動局装置及び移動局装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５５】
１…無線通信システム
２…移動局装置
３…外部機器
４…基地局装置
５…基地局装置
６…ネットワーク
７…移動局装置
２０１…ネットワーク通信部
２０２…復調部
２０３…D／A部
２０４…A／D部
２０５…変調部
２０６…データ送信部
２０７…接続管理部
２０８…外部機器通信部
２１０…設定入出力部
２１１…管理情報記憶部
２１２…２次電源部
２１３…残量検知部
２１４…タイマー部
２１５…操作入力部
２１６…通信環境検知部
２１７…通信環境情報通知制御部
３０１…移動局通信部
３０２…復調部
３０３…D／A部
３０４…変調部
３０５…通信環境情報表示部
３０６…接続管理部
３０７…設定入出力部
３０８…管理情報記憶部
３０９…通信環境情報受信制御部
【図１】
2012151811.tif 000003
【図２】
2012151811.tif 000004
【図３】
2012151811.tif 000005
【図４】
2012151811.tif 000006
【図５】
2012151811.tif 000007
【図６】
2012151811.tif 000008
【図７】
2012151811.tif 000009
【図８】
2012151811.tif 000010
【図９】
2012151811.tif 000011
【図１０】
2012151811.tif 000012